(57)【要約】      （修正有）【課題】冷却部の発生音を精度よく抽出し、冷却部の劣化を早期に検出する無停電電源システム、無停電電源装置、無停電電源装置制御用プログラムおよび無停電電源装置制御方法を提供する。【解決手段】無停電電源システムは、供給された交流電力を交流直流変換する交流直流変換部２１と、交流直流変換部２１から供給された直流電力を充電し、直流電力を放電する蓄電池２２と、蓄電池２２から放電された直流電力を直流交流変換し、交流電力を出力する直流交流変換部２３と、交流直流変換部２１、直流交流変換部２３のうち少なくとも一方を冷却する冷却部２８と、を有する電源部２０と、電源部２０の動作音を検出する検出部４と、検出部４が動作音を検出するタイミングを制御し、冷却部２８の発生音を抽出する制御部３と、を備える。さらに制御部３により抽出された、冷却部２８の発生音に基づき、冷却部２８の劣化を判断する判断部を備える。【選択図】図２
2019161966.tif 000002
【特許請求の範囲】
【請求項１】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、
前記検出部が動作音を検出するタイミングを制御し、前記冷却部の発生音を抽出する制御部と、
前記制御部により抽出された、前記冷却部の前記発生音に基づき、前記冷却部の劣化を判断する判断部と、
を備えた無停電電源システム。
【請求項２】
前記制御部は、前記交流直流変換部および前記直流交流変換部が所定の周波数で動作するように制御し、前記交流直流変換部および前記直流交流変換部が所定の周波数で動作しているタイミングで前記電源部の動作音を検出するように前記検出部を制御し、
前記検出部により検出された動作音から、前記交流直流変換部および前記直流交流変換部の周波数成分の音を除去し、前記冷却部の発生音を抽出する、
請求項１に記載の無停電電源システム。
【請求項３】
前記制御部は、前記冷却部が所定の周波数で動作するように制御し、前記冷却部が所定の周波数で動作しているタイミングで前記電源部の動作音を検出するように前記検出部を制御し、
前記検出部により検出された動作音から、前記交流直流変換部および前記直流交流変換部の周波数成分の音を除去し、前記冷却部の発生音を抽出する、
請求項１または２に記載の無停電電源システム。
【請求項４】
前記制御部は、
前記冷却部が動作しているタイミングで前記電源部の第１の動作音を検出するように前記検出部を制御し、
前記電源部の温度が所定の温度以下になった場合に、動作を停止するように前記冷却部を制御し、前記冷却部が停止しているタイミングで前記電源部の第２の動作音を検出するように前記検出部を制御し、
前記検出部により検出された第１の動作音から第２の動作音を減算し、前記冷却部の発生音を抽出する、
請求項１に記載の無停電電源システム。
【請求項５】
前記制御部は、
前記冷却部を動作させ前記電源部の温度が所定の温度以下になった場合に、前記冷却部の動作を停止するように前記冷却部を制御し、前記冷却部が停止しているタイミングで前記電源部の第２の動作音を検出するように前記検出部を制御する、
請求項４に記載の無停電電源システム。
【請求項６】
前記制御部は、
動作を停止するように前記交流直流変換部および前記直流交流変換部を制御し、前記交流直流変換部および前記直流交流変換部が停止しており、かつ前記冷却部が動作しているタイミングで前記電源部の動作音を検出するように前記検出部を制御し、前記冷却部の発生音を抽出する、
請求項１に記載の無停電電源システム。
【請求項７】
前記制御部は、
前記交流直流変換部および前記直流交流変換部の動作を停止する制御を行うときに、前記電源部の外部に設けられた第２の電源部を動作させる制御を行う、
請求項６に記載の無停電電源システム。
【請求項８】
前記交流直流変換部または前記直流交流変換部の近傍に配置された、所定の音量および周波数で基準音を発生する基準音発生部と、
前記検出部は、前記冷却部の近傍に配置され、第１の動作音を検出する第１の音検出部と、前記交流直流変換部または前記直流交流変換部の近傍に配置され、第２の動作音を検出する第２の音検出部と、を備え、
前記制御部は、
前記第２の音検出部により検出された前記第２の動作音に含まれた前記基準音発生部により発生された前記基準音の音量と、前記第１の音検出部により検出された前記第１の動作音に含まれた前記基準音発生部により発生された前記基準音の音量が一致するように、前記第１の動作音または前記第２の動作音の音量レベルを調整し、
前記第１の動作音から前記第２の動作音の差分を算出し、前記冷却部の発生音を抽出する、
請求項１に記載の無停電電源システム。
【請求項９】
前記基準音発生部により発生される前記基準音は、可聴範囲外の周波数を有する、
請求項８に記載の無停電電源システム。
【請求項１０】
前記冷却部は、冷却ファン、圧縮機のうち少なくとも一つを含む、
請求項１乃至９のいずれか１項に記載の無停電電源システム。
【請求項１１】
前記制御部は、前記冷却部の発生音を抽出する動作を周期的に行う、
請求項１乃至１０のいずれか１項に記載の無停電電源システム。
【請求項１２】
前記判断部は、前記冷却部の前記発生音が所定の音量以上である場合に、表示、音、伝送のうち少なくとも一つにより警報を出力する、
請求項１乃至１１のいずれか１項に記載の無停電電源システム。
【請求項１３】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、
前記検出部が動作音を検出するタイミングを制御し、前記冷却部の発生音を抽出する制御部と、
を備えた無停電電源装置。
【請求項１４】
前記制御部は、前記交流直流変換部および前記直流交流変換部が所定の周波数で動作するように制御し、前記交流直流変換部および前記直流交流変換部が所定の周波数で動作しているタイミングで前記電源部の動作音を検出するように前記検出部を制御し、
前記検出部により検出された動作音から、前記交流直流変換部および前記直流交流変換部の周波数成分の音を除去し、前記冷却部の発生音を抽出する、
請求項１３記載の無停電電源装置。
【請求項１５】
前記制御部は、前記冷却部が所定の周波数で動作するように制御し、前記冷却部が所定の周波数で動作しているタイミングで前記電源部の動作音を検出するように前記検出部を制御し、
前記検出部により検出された動作音から、前記交流直流変換部および前記直流交流変換部の周波数成分の音を除去し、前記冷却部の発生音を抽出する、
請求項１３または１４に記載の無停電電源装置。
【請求項１６】
前記制御部は、
前記冷却部が動作しているタイミングで前記電源部の第１の動作音を検出するように前記検出部を制御し、
前記電源部の温度が所定の温度以下になった場合に、動作を停止するように前記冷却部を制御し、前記冷却部が停止しているタイミングで前記電源部の第２の動作音を検出するように前記検出部を制御し、
前記検出部により検出された第１の動作音から第２の動作音を減算し、前記冷却部の発生音を抽出する、
請求項１３に記載の無停電電源装置。
【請求項１７】
前記制御部は、
前記冷却部を動作させ前記電源部の温度が所定の温度以下になった場合に、前記冷却部の動作を停止するように前記冷却部を制御し、前記冷却部が停止しているタイミングで前記電源部の第２の動作音を検出するように前記検出部を制御する、
請求項１６に記載の無停電電源装置。
【請求項１８】
前記制御部は、
動作を停止するように前記交流直流変換部および前記直流交流変換部を制御し、前記交流直流変換部および前記直流交流変換部が停止しており、かつ前記冷却部が動作しているタイミングで前記電源部の動作音を検出するように前記検出部を制御し、前記冷却部の発生音を抽出する、
請求項１３に記載の無停電電源装置。
【請求項１９】
前記制御部は、
前記交流直流変換部および前記直流交流変換部の動作を停止する制御を行うときに、前記電源部の外部に設けられた第２の電源部を動作させる制御信号の送信を行う、
請求項１８に記載の無停電電源装置。
【請求項２０】
前記交流直流変換部または前記直流交流変換部の近傍に配置された、所定の音量および周波数で基準音を発生する基準音発生部と、
前記検出部は、前記冷却部の近傍に配置され、第１の動作音を検出する第１の音検出部と、前記交流直流変換部または前記直流交流変換部の近傍に配置され、第２の動作音を検出する第２の音検出部と、を備え、
前記制御部は、
前記第２の音検出部により検出された前記第２の動作音に含まれた前記基準音発生部により発生された前記基準音の音量と、前記第１の音検出部により検出された前記第１の動作音に含まれた前記基準音発生部により発生された前記基準音の音量が一致するように、前記第１の動作音または前記第２の動作音の音量レベルを調整し、
前記第１の動作音から前記第２の動作音の差分を算出し、前記冷却部の発生音を抽出する、
請求項１３に記載の無停電電源装置。
【請求項２１】
前記基準音発生部により発生される前記基準音は、可聴範囲外の周波数を有する、
請求項２０に記載の無停電電源装置。
【請求項２２】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、を有する無停電電源装置を制御する無停電電源装置制御用プログラムであって、
前記交流直流変換部および前記直流交流変換部が所定の周波数で動作するように制御するステップと、
前記交流直流変換部および前記直流交流変換部が所定の周波数で動作しているタイミングで前記電源部の動作音を検出するように前記検出部を制御するステップと、
前記検出部により検出された動作音から、前記交流直流変換部および前記直流交流変換部の周波数成分の音を除去し、前記冷却部の発生音を抽出するステップと、
を有する、無停電電源装置制御用プログラム。
【請求項２３】
前記交流直流変換部および前記直流交流変換部が所定の周波数で動作しているタイミングで、前記冷却部が所定の周波数で動作するように制御するステップと、
を有する請求項２２に記載の無停電電源装置制御用プログラム。
【請求項２４】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、を有する無停電電源装置を制御する無停電電源装置制御用プログラムであって、
前記冷却部が動作しているタイミングで前記電源部の第１の動作音を検出するように前記検出部を制御するステップと、
前記電源部の温度が所定の温度以下になった場合に、動作を停止するように前記冷却部を制御し、前記冷却部が停止しているタイミングで前記電源部の第２の動作音を検出するように前記検出部を制御するステップと、
前記検出部により検出された第１の動作音から第２の動作音を減算し、前記冷却部の発生音を抽出するステップと、
を有する、無停電電源装置制御用プログラム。
【請求項２５】
前記冷却部を動作させ前記電源部の温度が所定の温度以下になった場合に、動作を停止するように前記冷却部を制御するステップを有する、
請求項２４に記載の無停電電源装置制御用プログラム。
【請求項２６】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、を有する無停電電源装置を制御する無停電電源装置制御用プログラムであって、
動作を停止するように前記交流直流変換部および前記直流交流変換部を制御するステップと、
前記交流直流変換部および前記直流交流変換部が停止しており、かつ前記冷却部が動作しているタイミングで前記電源部の動作音を検出するように前記検出部を制御するステップと、
を有する、無停電電源装置制御用プログラム。
【請求項２７】
動作を停止するように前記交流直流変換部および前記直流交流変換部を制御する前記ステップを実行する前に、前記電源部の外部に設けられた第２の電源部を動作させる制御を行うステップを有する、
請求項２６に記載の無停電電源装置制御用プログラム。
【請求項２８】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、を有する無停電電源装置を制御する無停電電源装置制御方法であって、
前記交流直流変換部および前記直流交流変換部が所定の周波数で動作するように制御する手順と、
前記交流直流変換部および前記直流交流変換部が所定の周波数で動作しているタイミングで前記電源部の動作音を検出するように前記検出部を制御する手順と、
前記検出部により検出された動作音から、前記交流直流変換部および前記直流交流変換部の周波数成分の音を除去し、前記冷却部の発生音を抽出する手順と、
を有する、無停電電源装置制御方法。
【請求項２９】
前記交流直流変換部および前記直流交流変換部が所定の周波数で動作しているタイミングで、前記冷却部が所定の周波数で動作するように制御する手順と、
を有する請求項２８に記載の無停電電源装置制御方法。
【請求項３０】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、を有する無停電電源装置を制御する無停電電源装置制御方法であって、
前記冷却部が動作しているタイミングで前記電源部の第１の動作音を検出するように前記検出部を制御する手順と、
前記電源部の温度が所定の温度以下になった場合に、動作を停止するように前記冷却部を制御し、前記冷却部が停止しているタイミングで前記電源部の第２の動作音を検出するように前記検出部を制御する手順と、
前記検出部により検出された第１の動作音から第２の動作音を減算し、前記冷却部の発生音を抽出する手順と、
を有する、無停電電源装置制御方法。
【請求項３１】
前記冷却部を動作させ前記電源部の温度が所定の温度以下になった場合に、動作を停止するように前記冷却部を制御する手順を有する、
請求項３０に記載の無停電電源装置制御方法。
【請求項３２】
供給された交流電力を交流直流変換する交流直流変換部と、
前記交流直流変換部から供給された直流電力を充電し、直流電力を放電する蓄電池と、
前記蓄電池から放電された直流電力を直流交流変換し、交流電力を出力する直流交流変換部と、
前記交流直流変換部、前記直流交流変換部のうち少なくとも一方を冷却する冷却部と、
を有する電源部と、
前記電源部の動作音を検出する検出部と、を有する無停電電源装置を制御する無停電電源装置制御方法であって、
動作を停止するように前記交流直流変換部および前記直流交流変換部を制御する手順と、
前記交流直流変換部および前記直流交流変換部が停止しており、かつ前記冷却部が動作しているタイミングで前記電源部の動作音を検出するように前記検出部を制御する手順と、
を有する、無停電電源装置制御方法。
【請求項３３】
動作を停止するように前記交流直流変換部および前記直流交流変換部を制御する前記手順を実行する前に、前記電源部の外部に設けられた第２の電源部を動作させる制御を行う手順を有する、
請求項３２に記載の無停電電源装置制御方法。
【発明の詳細な説明】
【技術分野】
【０００１】
本実施形態は、電力系統の停電時に電力の供給を行う無停電電源システム、無停電電源装置、無停電電源装置制御用プログラムおよび無停電電源装置制御方法に関する。
【背景技術】
【０００２】
インターネットデータセンター、銀行、証券会社のオンラインシステムなどの負荷設備には、電源として、定電圧、定周波数の電力が継続して供給されることが必要とされる。近年、情報インフラの重要性が高まり、無停電にて動作させる負荷設備が数多く普及している。このため、負荷設備に無停電にて電源供給を行う無停電電源システムの需要が高まっている。
【０００３】
商用電源にかかる電力が停止した場合、無停電電源システムは、蓄電池が放電した直流電力を交流電力に変換し、交流電力を無瞬断で負荷設備に供給する。このような無停電電源システムは、供給された交流電力を交流直流変換する交流直流変換部と、交流直流変換部から供給された直流電力により充電される蓄電池と、蓄電池から放電された直流電力を直流交流変換し交流電力を出力する直流交流変換部を有する。
【先行技術文献】
【特許文献】
【０００４】
【特許文献１】特開２０１４−２２２９８２号公報
【発明の概要】
【発明が解決しようとする課題】
【０００５】
上記のような無停電電源システムは、供給された交流電力を交流直流変換する交流直流変換部と、直流電力を直流交流変換し交流電力を出力する直流交流変換部を有する。交流直流変換部および直流交流変換部は、半導体からなるスイッチング回路により構成され、熱を発する。無停電電源システムは、交流直流変換部および直流交流変換部を冷却する冷却部を有する。
【０００６】
しかしながら、冷却部は、冷却ファン等の可動部を有する部材により構成されているため、経年劣化する。冷却部の経年劣化の程度は、無停電電源システムの設置環境、使用状況、冷却部の個体ごとに異なる。冷却部は定期的にメンテナンスされるが、メンテナンス前に冷却部が動作不良を起こす可能性もある。
【０００７】
冷却部が動作不良を起こした場合、無停電電源システムの交流直流変換部および直流交流変換部が高温となり、無停電電源システムを構成する各部を破損する恐れがある。無停電電源システムを構成する各部の破損は、負荷設備に安定した電力の供給を行うことができなくなるため不都合である。従って、可動部を有する冷却部の劣化を早期に検出し、無停電電源システムの破損を防止することが望ましい。
【０００８】
冷却部の劣化は、冷却部の発生音を抽出することにより推定できる。しかしながら、無停電電源システムを構成する他の装置の動作音により、冷却部の発生音が精度よく抽出されない場合があった。
【０００９】
本実施形態は、冷却部の発生音を精度よく抽出し、冷却部の劣化を早期に検出することができる無停電電源システム、無停電電源装置、無停電電源装置制御用プログラムおよび無停電電源装置制御方法を提供することを目的とする。
【課題を解決するための手段】
【００１０】
本実施形態の無停電電源システムは、次のような構成を有することを特徴とする。
（１）次のような構成を備えた電源部。
（１−１）供給された交流電力を交流直流変換する交流直流変換部。
（１−２）前記交流直流変換部から供給された直流電力を充電し、直流電力を放電する蓄電池。
（１−３）前記蓄電池から放電された直流電力を直流交流変換し、交流電力を出力する直流交流変換部。
（１−４）前記交流直流変換部、前記直流交流変換部のうち少なくとも一方を冷却する冷却部。
【００１１】
（２）前記電源部の動作音を検出する検出部。
（３）前記検出部が動作音を検出するタイミングを制御し、前記冷却部の発生音を抽出する制御部。
（４）前記制御部により抽出された、前記冷却部の前記発生音に基づき、前記冷却部の劣化を判断する判断部。
【００１２】
また、上記の特徴を有する無停電電源装置、無停電電源装置制御用プログラムおよび無停電電源装置制御方法も本実施形態に含まれる。
【図面の簡単な説明】
【００１３】
【図１】第１実施形態にかかる無停電電源システムを示す図
【図２】第１実施形態にかかる無停電電源装置の構成を示す図
【図３】第１実施形態にかかる判断部の構成を示す図
【図４】第１実施形態にかかる無停電電源装置の制御部のプログラムフローを示す図
【図５】第１実施形態にかかる判断部のプログラムフローを示す図
【図６】第２実施形態にかかる無停電電源装置の構成を示す図
【図７】第２実施形態にかかる無停電電源装置の制御部のプログラムフローを示す図
【図８】第３実施形態にかかる無停電電源システムを示す図
【図９】第３実施形態にかかる無停電電源装置の構成を示す図
【図１０】第３実施形態にかかる無停電電源装置の制御部のプログラムフローを示す図
【図１１】第４実施形態にかかる無停電電源装置の構成を示す図
【図１２】第４実施形態にかかる無停電電源装置の制御部のプログラムフローを示す図
【図１３】第４実施形態にかかる無停電電源装置の検出部により検出される動作音を示す図
【発明を実施するための形態】
【００１４】
［１．第１実施形態］
［１−１．構成］
図１〜３を参照して本実施形態の一例としての無停電電源システム１について説明する。
【００１５】
（１）無停電電源システム１の全体構成
本無停電電源システム１は、無停電電源装置２、判断部５を有する。無停電電源装置２は、電力供給線９１に配置される。電力供給線９１は、電力系統９の一部を構成し需要家内に電力を供給する。電力系統９は、商用電源９２に接続される。無停電電源装置２から出力された交流電力は、負荷８に供給される。
【００１６】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。
【００１７】
本無停電電源システム１において、以下の信号、データが作成、記憶または送受信される。
信号データＡ：電源部２０の動作音にかかる信号データ
（信号データＡ１：電源部２０全体動作時の動作音にかかる信号データ）
（信号データＡ２：交流直流変換部２１および直流交流変換部２３停止時の動作音にかかる信号データ）
（信号データＡ３：冷却部２８停止時の動作音にかかる信号データ）
信号データＢ：冷却部２８の発生音にかかる信号データ
動作コマンドＣ
（動作コマンドＣ１：交流直流変換部２１の動作周波数を指定する動作コマンド）
（動作コマンドＣ２：直流交流変換部２３の動作周波数を指定する動作コマンド）
（動作コマンドＣ３：冷却部２８の回転数を指定する動作コマンド）
停止コマンドＤ
（停止コマンドＤ１：交流直流変換部２１の動作停止を指示する停止コマンド）
（停止コマンドＤ２：直流交流変換部２３の動作停止を指示する停止コマンド）
（停止コマンドＤ３：冷却部２８の動作停止を指示する停止コマンド）
基準データＥ：冷却部２８の劣化の判断の基準となるデータ
警報信号Ｆ：冷却部２８の劣化を警告する警報信号
温度データＧ
電力供給コマンドＨ
【００１８】
（２）無停電電源装置２の構成
無停電電源装置２は、電力供給線９１から供給された交流電力を直流電力に変換し蓄電池を充電し、蓄電池から放電された直流電力を交流電力に変換し、負荷８に出力する電源装置である。無停電電源装置２は、電源部２０、制御部３、検出部４を有する。無停電電源装置２は、電力需要家の配電室等に設置される。
【００１９】
（２−１）電源部２０の構成
電源部２０は、交流直流変換部２１ａ、蓄電池２２、直流交流変換部２３、バイパス回路２４、入力端子２５、補助入力端子２６、出力端子２７、冷却部２８を有する。
【００２０】
電源部２０の入力端子２５は、電力供給線９１に接続され、交流電力が供給される。電源部２０の出力端子２７は、負荷８が接続され、負荷８には、電源部２０から交流電力が供給される。電源部２０の補助入力端子２６は、バックアップ用の無停電電源装置（図中不示）に接続され、バックアップ用の交流電力が供給される。なお、電源部２０の補助入力端子２６は、未接続であってもよい。
【００２１】
（交流直流変換部２１）
交流直流変換部２１は、交流電力を直流電力に変換するコンバータにより構成される。交流直流変換部２１を構成するコンバータは、トランジスタ等のスイッチング素子を有し、このスイッチング素子をスイッチングすることにより、交流電力を直流電力に変換する。
【００２２】
交流直流変換部２１は、蓄電池２２の近傍に設置される。交流直流変換部２１は、交流側が入力端子２５を介し電力供給線９１に、直流側が蓄電池２２および直流交流変換部２３に接続される。
【００２３】
交流直流変換部２１は、入力端子２５を介し電力供給線９１から供給された交流電力を直流電力に変換し、直流電力を蓄電池２２、直流交流変換部２３に供給する。
【００２４】
交流直流変換部２１の動作周波数であるスイッチング素子のスイッチング周波数は、制御部３により制御される。制御部３は、動作コマンドＣ１（交流直流変換部２１の動作周波数を指定する動作コマンド）、停止コマンドＤ１（交流直流変換部２１の動作停止を指示する停止コマンド）を送信することにより、交流直流変換部２１のスイッチング素子のスイッチング周波数の制御を行う。
【００２５】
交流直流変換部２１は、制御部３から動作コマンドＣ１、停止コマンドＤ１を受信する。交流直流変換部２１が動作コマンドＣ１を受信した場合、交流直流変換部２１は、動作コマンドＣ１により指定された周波数で、スイッチング素子のスイッチングの動作を行い、交流電力を直流電力に変換する。交流直流変換部２１が停止コマンドＤ１を受信した場合、交流直流変換部２１は、スイッチングの動作を停止する。
【００２６】
（蓄電池２２）
蓄電池２２は、供給された直流電力にかかる電荷を充電し、充電した電荷を直流電力として放電する充電可能な蓄電装置である。蓄電池２２は、リチウム２次電池のような充電可能な電池が複数組合され構成される。蓄電池２２は、交流直流変換部２１および直流交流変換部２３の近傍に設置される。蓄電池２２は、交流直流変換部２１および直流交流変換部２３に接続される。
【００２７】
蓄電池２２は、交流直流変換部２１により交流直流変換された直流電力により充電される。また、蓄電池２２から放電された直流電力は、直流交流変換部２３により直流交流変換され、交流電力として出力端子２７から出力され、負荷８に供給される。
【００２８】
（直流交流変換部２３）
直流交流変換部２３は、直流電力を交流電力に変換するインバータにより構成される。直流交流変換部２３を構成するインバータは、トランジスタ等のスイッチング素子を有し、このスイッチング素子をスイッチングすることにより、直流電力を交流電力に変換する。
【００２９】
直流交流変換部２３は、蓄電池２２の近傍に設置される。直流交流変換部２３は、交流側が出力端子２７に、直流側が蓄電池２２および交流直流変換部２１に接続される。直流交流変換部２３は、蓄電池２２から放電された直流電力を交流電力に変換し、交流電力を出力端子２７に出力する。出力端子２７に出力された交流電力は負荷８に供給される。
【００３０】
直流交流変換部２３の動作周波数であるスイッチング素子のスイッチング周波数は、制御部３により制御される。制御部３は、動作コマンドＣ２（直流交流変換部２３の動作周波数を指定する動作コマンド）、停止コマンドＤ２（直流交流変換部２３の動作停止を指示する停止コマンド）を送信することにより、直流交流変換部２３のスイッチング素子のスイッチング周波数の制御を行う。
【００３１】
直流交流変換部２３は、制御部３から動作コマンドＣ２、停止コマンドＤ２を受信する。直流交流変換部２３が動作コマンドＣ２を受信した場合、直流交流変換部２３は、動作コマンドＣ２により指定された周波数で、スイッチング素子のスイッチングの動作を行い、直流電力を交流電力に変換する。直流交流変換部２３が停止コマンドＤ２を受信した場合、直流交流変換部２３は、スイッチングの動作を停止する。
【００３２】
（バイパス回路２４）
バイパス回路２４は、電流の開閉を行うコンタクタ、リレーまたはパワーエレクトロニクス半導体素子のような開閉素子により構成される。バイパス回路２４は、無停電電源装置２を構成する筐体の内部に配置される。バイパス回路２４は、一方が補助入力端子２６に、他方が出力端子２７に接続される。
【００３３】
バイパス回路２４は、制御部３により開路閉路が制御される。バイパス回路２４は、閉路状態時に、補助入力端子２６に供給された交流電力を、出力端子２７に供給する。出力端子２７に供給された交流電力は、負荷８に供給される。
【００３４】
（冷却部２８）
冷却部２８は、電動機により駆動される冷却ファンにより構成される。冷却部２８は、無停電電源装置２を構成する筐体の内部であり、交流直流変換部２１および直流交流変換部２３の近傍に設置される。冷却部２８は、冷却ファンを回転させ、空気を流動させることにより交流直流変換部２１および直流交流変換部２３を冷却する。
【００３５】
冷却部２８の冷却ファンの回転速度は制御部３により制御される。制御部３は、動作コマンドＣ３（冷却部２８の回転数を指定する動作コマンド）、停止コマンドＤ３（冷却部２８の動作停止を指示する停止コマンド停止）を送信することにより、冷却部２８の冷却ファンの回転速度の制御を行う。
【００３６】
冷却部２８は、制御部３から動作コマンドＣ３、停止コマンドＤ３を受信する。冷却部２８が動作コマンドＣ３、を受信した場合、冷却部２８は動作コマンドＣ３により指定された回転数で冷却ファンを回転させ、交流直流変換部２１および直流交流変換部２３を冷却する。冷却部２８が停止コマンドＤ３を受信した場合、冷却部２８は、冷却ファンの動作を停止する。
【００３７】
（２−２）検出部４の構成
検出部４は、音を検出するマイクとアナログデジタル変換器が組み合わされた装置により構成される。検出部４は、複数のマイクを有することが望ましい。検出部４は、無停電電源装置２を構成する筐体の内部であり、冷却部２８の近傍に設置される。
【００３８】
検出部４は、電源部２０の動作音を検出しアナログデジタル変換し、アナログデジタル変換された、電源部２０の動作音にかかる信号データを信号データＡとして制御部３に出力する。信号データＡには、電源部２０の冷却部２８の発生音、交流直流変換部２１、直流交流変換部２３の動作音、環境音のうち少なくとも一つにかかる信号データが含まれる。
【００３９】
（２−３）制御部３の構成
制御部３は、マイクロコンピュータ、ＤＳＰ（ディジタルシグナルプロセッサ）等により構成される。制御部３は、無停電電源装置２を構成する筐体内に配置される。制御部３は、電源部２０の動作音から冷却部２８の発生音を抽出するための制御を行う。制御部３により抽出された冷却部２８の発生音にかかるデータである信号データＢ（冷却部２８の発生音にかかる信号データ）は、判断部５に送信される。
【００４０】
制御部３は、入力部３１、出力部３２、送信部３３、演算部３４を有する。
【００４１】
（入力部３１）
入力部３１は、マイクロコンピュータのポート等からなる電文受信回路により構成される。入力部３１は、入力側が検出部４に、出力側が演算部３４に接続される。入力部３１は、検出部４から電文にて送信された信号データＡ（電源部２の動作音にかかる信号データ）を受信し、演算部３４に出力する。
【００４２】
（出力部３２）
出力部３２は、マイクロコンピュータのポート等からなる電文送信回路により構成される。出力部３２は、入力側が演算部３４に、出力側が電源部２０、交流直流変換部２１、直流交流変換部２３、冷却部２８、バイパス回路２４に接続される。
【００４３】
出力部３２は、演算部３４に制御され、交流直流変換部２１に、動作コマンドＣ１（交流直流変換部２１の動作周波数を指定する動作コマンド）、停止コマンドＤ１（交流直流変換部２１の動作停止を指示する停止コマンド）を送信する。
【００４４】
さらに、出力部３２は、演算部３４に制御され、直流交流変換部２３に、動作コマンドＣ２（直流交流変換部２３の動作周波数を指定する動作コマンド）、停止コマンドＤ２（直流交流変換部２３の動作停止を指示する停止コマンド）を送信する。
【００４５】
また、出力部３２は、演算部３４に制御され、冷却部２８に、動作コマンドＣ３（冷却部２８の回転数を指定する動作コマンド）、停止コマンドＤ３（冷却部２８の動作停止を指示する停止コマンド停止）を送信する。出力部３２は、演算部３４に制御され、バイパス回路２４の開路閉路を指示するコマンドを送信する。
【００４６】
（送信部３３）
送信部３３は、マイクロコンピュータのポート等からなる電文送信回路により構成される。送信部３３は、入力側が演算部３４に、出力側が判断部５に接続される。送信部３３は、演算部３４にて作成された信号データＢ（冷却部２８の発生音にかかる信号データ）を、判断部５に送信する。
【００４７】
（演算部３４）
演算部３５は、マイクロコンピュータまたはＤＳＰ（ディジタルシグナルプロセッサ）のＣＰＵ等により構成される。演算部３４は、後述するコンピュータプログラムを内蔵する。演算部３４は、入力部３１、出力部３２、送信部３３に接続される。演算部３４は、以下の演算および制御を行う。
【００４８】
（イ）入力部３１に対する制御
演算部３４は、入力部３１を制御し、検出部４から送信された信号データＡ（電源部２の動作音にかかる信号データ）を受信する。
【００４９】
（ロ）出力部３２に対する制御
演算部３４は、出力部３２を制御し、交流直流変換部２１に、動作コマンドＣ１（交流直流変換部２１の動作周波数を指定する動作コマンド）、停止コマンドＤ１（交流直流変換部２１の動作停止を指示する停止コマンド）を送信する。
【００５０】
さらに、演算部３４は、出力部３２を制御し、直流交流変換部２３に、動作コマンドＣ２（直流交流変換部２３の動作周波数を指定する動作コマンド）、停止コマンドＤ２（直流交流変換部２３の動作停止を指示する停止コマンド）を送信する。
【００５１】
また、演算部３４は、出力部３２を制御し、冷却部２８に、動作コマンドＣ３（冷却部２８の回転数を指定する動作コマンド）、停止コマンドＤ３（冷却部２８の動作停止を指示する停止コマンド停止）を送信する。演算部３４は、出力部３２を制御し、バイパス回路２４に開路閉路を指示するコマンドを送信する。
【００５２】
（ハ）送信部３３に対する制御
演算部３４は、送信部３３を制御し、信号データＢ（冷却部２８の発生音にかかる信号データ）を、判断部５に送信する。演算部３４は、検出部４から受信した信号データＡ（電源部２の動作音にかかる信号データ）に基づき演算を行い、信号データＢ（冷却部２８の発生音にかかる信号データ）を作成する。
【００５３】
（３）判断部５の構成
判断部５の構成を図３に示す。判断部５は、無停電電源装置２の冷却部２８の劣化の判断を行う装置である。判断部５は、パーソナルコンピュータ等により構成される。判断部５は、受信部５１、記憶部５２、表示部５３、警報出力部５４、送受信部５５、演算部５６を有する。判断部５は、電力需要家の電力管理室等に設置される。
【００５４】
（受信部５１）
受信部５１は、パーソナルコンピュータの通信ポート等により構成される。受信部５１は、制御部３の送信部３３に接続される。受信部５１は、ローカル通信線を介し制御部３の送信部３３から、信号データＢ（冷却部２８の発生音にかかる信号データ）を受信する。受信部５１の受信動作は、制御部５６により制御される。
【００５５】
（記憶部５２）
記憶部５２は、判断部５を構成するパーソナルコンピュータのハードディスクメモリまたは半導体メモリ等により構成される。記憶部５２の記憶動作は、制御部５６により制御される。記憶部５２は、冷却部２８の劣化の判断の基準となる基準データＥを記憶する。基準データＥは、無停電電源装置２の運転開始前に予め設定される。
【００５６】
（表示部５３）
表示部５３は、液晶パネルのような表示装置にて構成される。表示部５３は、受信部５１にて受信した、冷却部２８の発生音である信号データＢ（冷却部２８の発生音にかかる信号データ）と、記憶部５２に記憶された冷却部２８の劣化の判断の基準となる基準データＥとを併せて表示する。表示部５３は、演算部５６により、表示が制御される。
【００５７】
（警報出力部５４）
警報出力部５４は、警報音、警報表示による警報信号を出力する警報装置により構成される。演算部５６は、冷却部２８の発生音である信号データＢ（冷却部２８の発生音にかかる信号データ）と、記憶部５２に記憶された冷却部２８の劣化の判断の基準となる基準データＥとの差分が、予め設定された値以上であると判断された場合、警報信号Ｆ（冷却部２８の劣化を警告する警報信号）を警報出力部５４に対し出力する。警報出力部５４は、演算部５６に制御され、演算部５６から送信された警報信号Ｆに基づき、警報音、警報表示により警報を出力する。
【００５８】
（送受信部５５）
送受信部５５は、パーソナルコンピュータの通信ポート等により構成される。送受信部５５は、インターネット等の通信回線（図中不示）に接続される。送受信部５５は、通信回線を介し他のコンピュータ等の機器と通信を行う。送受信部５５は、他のコンピュータ等の機器から送信されるリクエスト信号に応じ、冷却部２８の発生音である信号データＢ（冷却部２８の発生音にかかる信号データ）、記憶部５２に記憶された冷却部２８の劣化の判断の基準となる基準データＥ、警報信号Ｆ（冷却部２８の劣化を警告する警報信号）を送信する。送受信部５５の送受信動作は、演算部５６により制御される。
【００５９】
（演算部５６）
演算部５６は、判断部５を構成するパーソナルコンピュータのＣＰＵ等により構成される。演算部５６は、後述するコンピュータプログラムを内蔵する。演算部５６は、受信部５１、記憶部５２、表示部５３、警報出力部５４、送受信部５５に接続される。演算部５６は、以下の演算および制御を行う。
【００６０】
（イ）受信部５１に対する制御
演算部５６は、受信部５１を制御し、ローカル通信線を介し制御部３の送信部３３から、信号データＢ（冷却部２８の発生音にかかる信号データ）を受信する。
【００６１】
（ロ）記憶部５２に対する制御
演算部５６は、記憶部５２を制御し、記憶された冷却部２８の劣化の判断の基準となる基準データＥを読み出す。基準データＥは、無停電電源装置２の運転開始前に予め設定される。
【００６２】
（ハ）表示部５３に対する制御
演算部５６は、表示部５３を制御し、冷却部２８の発生音である信号データＢ（冷却部２８の発生音にかかる信号データ）と、記憶部５２に記憶された冷却部２８の劣化の判断の基準となる基準データＥとを併せて表示させる。
【００６３】
（ニ）警報出力部５４に対する制御
演算部５６は、警報出力部５４を制御し、警報音、警報表示により警報を出力する。演算部５６は、冷却部２８の発生音である信号データＢ（冷却部２８の発生音にかかる信号データ）と、記憶部５２に記憶された冷却部２８の劣化の判断の基準となる基準データＥとの差分を計算し、差分が予め設定された値以上であると判断した場合、警報信号Ｆ（冷却部２８の劣化を警告する警報信号）を警報出力部５４に対し出力する。警報出力部５４は、警報信号Ｆに基づき、警報音、警報表示により警報を出力する。
【００６４】
（ホ）送受信部５５に対する制御
演算部５６は、送受信部５５を制御し、通信回線を介し接続された他のコンピュータ等の機器との通信を行う。演算部３４は、送受信部５５を制御し、他のコンピュータ等の機器から送信されたリクエスト信号を受信する。このリクエスト信号に応じ、演算部５６は、送受信部５５を制御し、冷却部２８の発生音である信号データＢ（冷却部２８の発生音にかかる信号データ）、記憶部５２に記憶された冷却部２８の劣化の判断の基準となる基準データＥ、または警報信号Ｆ（冷却部２８の劣化を警告する警報信号）を送信する。
【００６５】
［１−２．作用］
次に、本実施形態の無停電電源システム１の動作の概要を、図１〜５に基づき説明する。
【００６６】
［Ａ．冷却部２８の発生音の抽出が行われない場合］
冷却部２８の発生音の抽出が行われない通常運転の場合でありかつ、電力供給線９１に停電が発生していない場合、電源部２０の交流直流変換部２１には、電力供給線９１、入力端子２５を介し商用電源９２から電力が供給される。交流直流変換部２１は、供給された交流電力を直流電力に変換し、直流電力を蓄電池２２、直流交流変換部２３に供給する。
【００６７】
電源部２０の交流直流変換部２１から出力された直流電力は、直流交流変換部２３により交流電力に変換され、負荷８に供給される。また、交流直流変換部２１から出力された直流電力は、蓄電池２２を充電する。蓄電池２２の充電量は、停電時の消費による放電または自然放電により減少するため、蓄電池２２は、随時交流直流変換部２１により充電される。
【００６８】
電力供給線９１に停電が発生した場合、電源部２０の蓄電池２２から放電された直流電力が、直流交流変換部２３により交流電力に変換され、負荷８に供給される。電力供給線９１に停電が発生した場合、電力供給線９１、入力端子２５を介し商用電源９２から電力が供給されない。このため、電源部２０の交流直流変換部２１は、動作を停止する。
【００６９】
交流直流変換部２１は、交流直流変換部２１に内蔵したスイッチング素子をスイッチングすることにより、交流電力を直流電力に変換する。また、直流交流変換部２３は、直流交流変換部２３に内蔵したスイッチング素子をスイッチングすることにより、直流電力を交流電力に変換する。
【００７０】
［Ｂ．冷却部２８の発生音の抽出が行われる場合］
前述のとおり、交流直流変換部２１および直流交流変換部２３は、内蔵したスイッチング素子をスイッチングすることにより、電力の変換を行う。交流直流変換部２１および直流交流変換部２３の動作周波数であるスイッチング素子のスイッチング周波数は、入力電圧および出力電流の大きさに応じ適宜変化するように制御される。このため、交流直流変換部２１および直流交流変換部２３の動作周波数であるスイッチング素子のスイッチング周波数は、ランダムに変化する。
【００７１】
交流直流変換部２１および直流交流変換部２３は、スイッチング素子がスイッチングすることにより発生するスイッチングノイズと呼ばれる動作音を発生する。スイッチングノイズにかかる動作音の周波数は、交流直流変換部２１および直流交流変換部２３の動作周波数であるスイッチング素子のスイッチング周波数に対応する。このため、交流直流変換部２１および直流交流変換部２３のスイッチングノイズにかかる動作音の周波数は、ランダムに変化する。
【００７２】
このため、交流直流変換部２１および直流交流変換部２３のスイッチングノイズにかかる動作音の周波数が、冷却部２８の発生音の周波数と同じまたは近い場合、冷却部２８が発生する発生音のみを正確に検出することは、困難であった。
【００７３】
［Ｂ１．無停電電源装置２の動作］
冷却部２８の発生音の抽出が行われる場合、演算部３４は、各部に対し以下の制御を行う。冷却部２８の発生音の抽出が行われる場合の無停電電源装置２の動作の概要を、制御部３の演算部３４の動作を中心に説明する。制御部３の演算部３４は、図４に示すプログラムに従って動作を行う。図４に示すプログラムは、制御部３の演算部３４に内蔵される。図４に示すプログラムは、制御部３の演算部３４により、一定周期ごとに繰り返し実行される。
【００７４】
（ステップＳ０１：交流直流変換部２１に動作コマンドＣ１を送信する）
演算部３４は、出力部３２を介し交流直流変換部２１に動作コマンドＣ１（交流直流変換部２１の動作周波数を指定する動作コマンド）を送信する。動作コマンドＣ１にかかる交流直流変換部２１の動作周波数は、例えば、冷却部２８の発生音の周波数から離れた高い周波数が選択される。動作コマンドＣ１にかかる交流直流変換部２１の動作周波数は、無停電電源装置２の運転開始前に予め、演算部３４に設定される。
【００７５】
これにより、交流直流変換部２１は、冷却部２８の発生音の周波数より高い、動作コマンドＣ１により指定された周波数で、スイッチング素子のスイッチングの動作を行い、交流電力を直流電力に変換する。
【００７６】
（ステップＳ０２：直流交流変換部２３に動作コマンドＣ２を送信する）
演算部３４は、出力部３２を介し直流交流変換部２３に動作コマンドＣ２（直流交流変換部２３の動作周波数を指定する動作コマンド）を送信する。動作コマンドＣ２にかかる直流交流変換部２３の動作周波数は、例えば、冷却部２８の発生音の周波数から離れた高い周波数が選択される。動作コマンドＣ２にかかる直流交流変換部２３の動作周波数は、無停電電源装置２の運転開始前に予め、演算部３４に設定される。
【００７７】
これにより、直流交流変換部２３は、冷却部２８の発生音の周波数より高い、動作コマンドＣ２により指定された周波数で、スイッチング素子のスイッチングの動作を行い、直流電力を交流電力に変換する。
【００７８】
（ステップＳ０３：冷却部２８に動作コマンドＣ３を送信する）
次に演算部３４は、出力部３２を介し冷却部２８に動作コマンドＣ３（冷却部２８の回転数を指定する動作コマンド）を送信する。動作コマンドＣ３にかかる冷却部２８の回転数（回転周波数）は、例えば、交流直流変換部２１および直流交流変換部２３の動作音の周波数から離れた低い周波数が選択される。動作コマンドＣ３にかかる冷却部２８の回転数（回転周波数）は、無停電電源装置２の運転開始前に予め、演算部３４に設定される。
【００７９】
これにより、冷却部２８は、交流直流変換部２１および直流交流変換部２３の動作音の周波数より低い、動作コマンドＣ３により指定された回転周波数で冷却ファンを回転させる。
【００８０】
（ステップＳ０４：検出部４から信号データＡを受信する）
次に演算部３４は、入力部３１を介し検出部４から信号データＡ（電源部２０の動作音にかかる信号データ）を受信する。検出部４は、常時、電源部２０の動作音を検出しアナログデジタル変換し、電源部２０の動作音にかかる信号データを信号データＡとして出力する。信号データＡには、電源部２０の冷却部２８の発生音、交流直流変換部２１、直流交流変換部２３の動作音、環境音にかかる信号データが含まれる。信号データＡは、常時検出部４から出力される。
【００８１】
（ステップＳ０５：冷却部２８の発生音を抽出し信号データＢを作成する）
次に演算部３４は、ステップＳ０４で受信した信号データＡ（電源部２０の動作音にかかる信号データ）に基づき、冷却部２８の発生音を抽出する。前述のように信号データＡは、冷却部２８の発生音、交流直流変換部２１、直流交流変換部２３の動作音を含む。
【００８２】
しかし、交流直流変換部２１は、ステップＳ０１で送信された動作コマンドＣ１に基づき、直流交流変換部２３はステップＳ０２で送信された動作コマンドＣ２に基づき、冷却部２８の発生音の周波数より高い周波数にてスイッチング動作を行っている。一方、冷却部２８は、ステップＳ０３で送信された動作コマンドＣ３に基づき、交流直流変換部２１および直流交流変換部２３の動作音の周波数より低い周波数で冷却ファンを回転させている。
【００８３】
したがって、冷却部２８の発生音の周波数は、交流直流変換部２１および直流交流変換部２３の動作音の周波数から離間した低い周波数となる。演算部３４は、ＦＦＴ（高速フーリエ変換）等を用いフィルタリング処理を行い、信号データＡから交流直流変換部２１および直流交流変換部２３の動作音にかかる周波数帯域を除去し、冷却部２８の発生音を抽出する。
【００８４】
あるいは検出部４が複数のマイクを有する場合、演算部３４は、冷却部２８方向への指向性を高めたビームフォーミング処理、独立成分分析（ＩＣＡ、Ｉｎｄｅｐｅｎｄｅｎｔ  Ｃｏｍｐｏｎｅｎｔ  Ａｎａｌｙｓｉｓ）や独立ベクトル分析（ＩＶＡ、Ｉｎｄｅｐｎｄｅｎｔ  Ｖｅｃｔｏｒ  Ａｎａｌｙｓｉｓ）などに基づく音源分離処理等の処理を行い、信号データＡから交流直流変換部２１および直流交流変換部２３の動作音を除去し、冷却部２８の発生音を抽出する。演算部３４は、信号データＡから冷却部２８の発生音を抽出し、信号データＢ（冷却部２８の発生音にかかる信号データ）を作成する。
【００８５】
（ステップＳ０６：信号データＢを送信する）
次に演算部３４は、ステップＳ０５で抽出した信号データＢ（冷却部２８の発生音にかかる信号データ）を、送信部３３を介し判断部５に送信する。
【００８６】
以上が、制御部３の演算部３４の動作である。上記のように信号データＡ（電源部２０の動作音にかかる信号データ）に基づき、信号データＢ（冷却部２８の発生音にかかる信号データ）が作成される。
【００８７】
［Ｂ２．判断部５の動作］
無停電電源装置２の制御部３の送信部３３から信号データＢ（冷却部２８の発生音にかかる信号データ）を受信した判断部５は以下の動作を行う。判断部５は、信号データＢに基づき、無停電電源装置２の電源部２０の冷却部２８の劣化を判断し、表示、警報等により出力する。
【００８８】
判断部５による無停電電源装置２の電源部２０の冷却部２８の劣化を判断が行われる場合の判断部５の動作の概要を、判断部５の演算部５６の動作を中心に説明する。判断部５の演算部５６は、図５に示すプログラムに従って動作を行う。図５に示すプログラムは、判断部５の演算部５６に内蔵される。図５に示すプログラムは、判断部５の演算部５６により、繰り返し実行される。
【００８９】
（ステップＲ０１：信号データＢを受信したか判断する）
最初に演算部５６は、受信部５１により無停電電源装置２から信号データＢ（冷却部２８の発生音にかかる信号データ）を受信したかの判断を行う。
【００９０】
演算部５６が無停電電源装置２から信号データＢを受信したと判断した場合（ステップＲ０１のＹＥＳ）、ステップＲ０２に移行する。演算部５６が無停電電源装置２から信号データＢを受信したと判断しない場合（ステップＲ０１のＮＯ）、再びステップＲ０１に移行し、信号データＢの受信待ち状態となる。
【００９１】
（ステップＲ０２：記憶部５２に記憶された基準データＥを呼び出す）
ステップＲ０１にて信号データＢ（冷却部２８の発生音にかかる信号データ）を受信したと判断された場合、演算部５６は、記憶部５２に記憶された基準データＥ（冷却部２８の劣化の判断の基準となるデータ）を呼び出す。基準データＥは、劣化がない状態の冷却部２８の発生音にかかる信号データである。
【００９２】
（ステップＲ０３：信号データＢおよび基準データＥを表示部５３に表示する）
次に、演算部５６は、ステップＲ０１にて受信した信号データＢ（冷却部２８の発生音にかかる信号データ）およびステップＲ０２にて呼び出した基準データＥ（冷却部２８の劣化の判断の基準となるデータ）を、表示部５３に併せて表示する。信号データＢおよび基準データＥが表示部５３に併せて表示されることにより、作業者は、目視にて冷却部２８の劣化状況を把握する。
【００９３】
（ステップＲ０４：信号データＢと基準データＥの差分が基準値以上であるか判断する）
次に、演算部５６は、ステップＲ０１にて受信した信号データＢ（冷却部２８の発生音にかかる信号データ）とステップＲ０２にて呼び出した基準データＥ（冷却部２８の劣化の判断の基準となるデータ）の差分が、予め設定された基準値以上であるかの判断を行う。
【００９４】
演算部５６は、信号データＢの音量と基準データＥの音量との差分を算出する。あるいは演算部５６は、信号データＢを周波数変換したパワースペクトル等の周波数領域信号データと、基準データＥを周波数変換したパワースペクトル等の周波数領域信号データとの差分を算出する。なお、周波数変換は高速フーリエ変換等を用いて行われる。この差分が予め設定された基準値以上である場合、演算部５６は、冷却部２８が劣化したものと判断する。信号データＢおよび基準データＥの差分の算出は、冷却部２８が異常音を発する特定の周波数について行われる。
【００９５】
あるいは、基準データＥから機械学習を用いて事前にオートエンコーダ（自己符号化器）等のニューラルネットワークを設定しておき、信号データＢをこのニューラルネットワークの入力したときの出力である距離を算出し、その距離が予め設定された基準値以上である場合、演算部５６は、冷却部２８が劣化したものと判断してもよい。
【００９６】
例えば、冷却部２８が劣化した場合、冷却ファンによる風きり音や、冷却ファンと支持部材との擦過音の音量が増加する。前述の差分の算出は、冷却ファンによる風きり音や、冷却ファンと支持部材との擦過音の周波数帯域について行われる。信号データＢの音量が基準データＥの音量より、予め設定された基準値以上である場合、演算部５６は、冷却ファンによる風きり音や、冷却ファンと支持部材との擦過音の音量が増加し、冷却部２８が劣化したものと判断する。
【００９７】
演算部５６が基準値以上であると判断した場合（ステップＲ０４のＹＥＳ）、ステップＲ０５に移行する。演算部５６が基準値以上であると判断しない場合（ステップＲ０４のＮＯ）、一連のプログラムを終了する。
【００９８】
（ステップＲ０５：警報出力部５４から警報を出力する）
ステップＲ０４にて基準値以上であると判断された場合、演算部５６は、警報出力部５４に警報信号Ｆ（冷却部２８の劣化を警告する警報信号）を出力する。警報出力部５４は、警報信号Ｆに基づき、警報音、警報表示により警報を出力する。
【００９９】
ステップＲ０４にて基準値以上であると判断された場合、冷却部２８が劣化したと推定される。例えば、警報信号Ｆには、「冷却ファンによる風きり音の増加」または、「冷却ファンと支持部材との擦過音の増加」の区別を示す信号が含まれる。例えば、警報出力部５４は、警報信号Ｆが「冷却ファンによる風きり音の増加」を示す場合、黄色ランプを点灯させ警報を出力する。
【０１００】
また、例えば、警報出力部５４は、警報信号Ｆが「冷却ファンと支持部材との擦過音の増加」を示す場合、赤色ランプを点灯させ、ブザー音を発生することにより警報を出力する。警報出力部５４は、警報信号Ｆに基づき、警報音、警報表示により警報を出力する。また、警報は、送受信部５５から電文により出力されてもよい。
【０１０１】
以上が、判断部５の動作である。上記のように信号データＢ（冷却部２８の発生音にかかる信号データ）に基づき、判断部５により冷却部２８の劣化が判断される。
【０１０２】
［１−３．効果］
（１）本実施形態によれば、無停電電源システム１は、供給された交流電力を交流直流変換する交流直流変換部２１と、交流直流変換部２１から供給された直流電力を充電し、直流電力を放電する蓄電池２２と、蓄電池２２から放電された直流電力を直流交流変換し、交流電力を出力する直流交流変換部２３と、交流直流変換部２１、直流交流変換部２３のうち少なくとも一方を冷却する冷却部２８と、を有する電源部２０と、電源部２０の動作音を検出する検出部４と、検出部４が動作音を検出するタイミングを制御し、冷却部２８の発生音を抽出する制御部３と、制御部３により抽出された、冷却部２８の発生音に基づき、冷却部２８の劣化を判断する判断部５と、を備えるので、冷却部２８の発生音を精度よく抽出し、冷却部の劣化を早期に検出することができる無停電電源システム１を提供することができる。
【０１０３】
検出部４が動作音を検出する時に、制御部３が、交流直流変換部２１、直流交流変換部２３または冷却部２８の動作を制御し、このタイミングで検出部４が動作音を検出するので、精度よく冷却部２８の発生音を抽出することができる。
【０１０４】
（２）本実施形態によれば、制御部３は、交流直流変換部２１および直流交流変換部２３が所定の周波数で動作するように制御し、交流直流変換部２１および直流交流変換部２３が所定の周波数で動作しているタイミングで電源部２０の動作音を検出するように検出部４を制御するので、交流直流変換部２１および直流交流変換部２３の動作音の周波数帯域と、冷却部２８の発生音の周波数帯域とを分離することができ、検出部４により検出された動作音から、交流直流変換部２１および直流交流変換部２３の周波数成分の音を除去することによりし、より確実に冷却部２８の発生音を抽出することができる。
【０１０５】
（３）本実施形態によれば、制御部３は、冷却部２８が所定の周波数で動作するように制御し、冷却部２８が所定の周波数で動作しているタイミングで電源部２０の動作音を検出するように検出部４を制御するので、交流直流変換部２１および直流交流変換部２３の動作音の周波数帯域と、冷却部２８の発生音の周波数帯域とを分離することができ、検出部４により検出された動作音から、交流直流変換部２１および直流交流変換部２３の周波数成分の音を除去することによりし、より確実に冷却部２８の発生音を抽出することができる。
【０１０６】
［１−４．変形例］
（１）上記実施形態では、無停電電源装置２の演算部３４に予め設定された動作コマンドＣ１（交流直流変換部２１の動作周波数を指定する動作コマンド）を交流直流変換部２１に送信し、交流直流変換部２１は、動作コマンドＣ１により指定された周波数で、スイッチング素子のスイッチングの動作を行うようにした。
【０１０７】
また、無停電電源装置２の演算部３４に予め設定された動作コマンドＣ２（直流交流変換部２３の動作周波数を指定する動作コマンド）を直流交流変換部２３に送信し、直流交流変換部２３は、動作コマンドＣ２により指定された周波数で、スイッチング素子のスイッチングの動作を行うようにした。
【０１０８】
予め演算部３４に設定される動作コマンドＣ１にかかる交流直流変換部２１の動作周波数、および、動作コマンドＣ２にかかる直流交流変換部２３の動作周波数は、複数であってもよい。
【０１０９】
演算部３４は、複数の周波数で、交流直流変換部２１および直流交流変換部２３を動作させ、交流直流変換部２１および直流交流変換部２３が動作する複数の周波数ごとに、検出部４から信号データＡ（電源部２０の動作音にかかる信号データ）を受信するようにしてもよい。演算部３４は、交流直流変換部２１および直流交流変換部２３が動作する複数の周波数ごとに、信号データＡから冷却部２８の発生音を抽出し、信号データＢ（冷却部２８の発生音にかかる信号データ）を作成する。このようにすることで、より精度よく冷却部２８の発生音を抽出することができる。
【０１１０】
（２）上記実施形態では、無停電電源装置２の演算部３４に予め設定された動作コマンドＣ３（冷却部２８の回転数を指定する動作コマンド）を冷却部２８に送信し、冷却部２８は、動作コマンドＣ３（冷却部２８の回転数を指定する動作コマンド）により指定された回転周波数で冷却ファンを回転させる動作を行うようにした。
【０１１１】
予め演算部３４に設定される動作コマンドＣ３にかかる冷却部２８の回転数は、複数であってもよい。演算部３４は、複数の回転数で、冷却部２８を動作させ、冷却部２８が動作する複数の回転数ごとに、検出部４から信号データＡ（電源部２０の動作音にかかる信号データ）を受信するようにしてもよい。演算部３４は、冷却部２８が動作する複数の回転数ごとに、信号データＡから冷却部２８の発生音を抽出し、信号データＢ（冷却部２８の発生音にかかる信号データ）を作成する。このようにすることで、より精度よく冷却部２８の発生音を抽出することができる。
【０１１２】
（３）上記実施形態では、ステップＳ０１にて交流直流変換部２１に動作コマンドＣ１を送信し、ステップＳ０２にて直流交流変換部２３に動作コマンドＣ２を送信し交流直流変換部２１、直流交流変換部２３を所定の周波数で動作させ、かつステップＳ０３にて冷却部２８に動作コマンドＣ３を送信し冷却部２８を所定の回転数で動作させるようにした。
【０１１３】
交流直流変換部２１、直流交流変換部２３を所定の周波数で動作させるステップＳ０１、ステップＳ０２を実行し、冷却部２８を所定の回転数で動作させるステップＳ０３を実行しないようにしてもよい。または、交流直流変換部２１、直流交流変換部２３を所定の周波数で動作させるステップＳ０１、ステップＳ０２を実行せず、冷却部２８を所定の回転数で動作させるステップＳ０３を実行するようにしてもよい。このように実行することによりプログラムにより迅速な処理を行うことができる。
【０１１４】
［２．第２実施形態］
［２−１．構成］
本実施形態の一例として、第２実施形態にかかる無停電電源システム１について説明する。第２実施形態にかかる無停電電源システム１は、冷却部２８の発生音の抽出処理が、第１実施形態と異なる。本無停電電源システム１において、作成、記憶または送受信される信号、データは、第１実施形態と同じである。信号データＡ１（電源部２０全体動作時の動作音にかかる信号データ）が、請求項中の第１の動作音に、信号データＡ３（冷却部２８停止時の動作音にかかる信号データ）が、請求項中の第２の動作音に相当する。
【０１１５】
第２実施形態の無停電電源装置２の構成を図６に示す。第２実施形態の無停電電源装置２は、電源部２０、制御部３、検出部４、温度測定部６を有する。第２実施形態の無停電電源装置２は、温度測定部６を有する点が第１実施形態の無停電電源装置２と異なる。また、第２実施形態の無停電電源装置２の制御部３は、第１実施形態と異なるプログラムを演算部３４に内蔵する。第２実施形態の無停電電源システム１の全体構成は、図１に示す第１実施形態の構成と同じである。
【０１１６】
温度測定部６は、測温抵抗体や熱電対等の温度センサとアナログデジタル変換器が組み合わされた装置により構成される。温度測定部６は、複数の温度センサにより構成されることが望ましい。温度測定部６は、無停電電源装置２を構成する筐体の内部であり、交流直流変換部２１、蓄電池２２、直流交流変換部２３の近傍に設置される。温度測定部６は、制御部３の入力部３１に接続される。
【０１１７】
温度測定部６は、交流直流変換部２１、蓄電池２２、直流交流変換部２３等の無停電電源装置２内部の温度を検出しアナログデジタル変換し、温度データＧとして制御部３の入力部３１に出力する。
【０１１８】
［２−２．作用］
次に、本実施形態の無停電電源システム１の動作の概要を、図６〜７に基づき説明する。冷却部２８の発生音の抽出が行われない通常運転の場合の動作は第１実施形態と同様である。冷却部２８の発生音の抽出が行われる場合、演算部３４は、各部に対し以下の制御を行う。冷却部２８の発生音の抽出が行われる場合の無停電電源装置２の動作の概要を、制御部３の演算部３４の動作を中心に説明する。制御部３の演算部３４は、図７に示すプログラムに従って動作を行う。図７に示すプログラムは、制御部３の演算部３４に内蔵される。図７に示すプログラムは、制御部３の演算部３４により、一定周期ごとに繰り返し実行される。
【０１１９】
（ステップＳ１１：冷却部２８に動作コマンドＣ３を送信する）
最初に演算部３４は、出力部３２を介し冷却部２８に動作コマンドＣ３（冷却部２８の回転数を指定する動作コマンド）を送信する。動作コマンドＣ３にかかる冷却部２８の回転数（回転周波数）は、交流直流変換部２１、蓄電池２２、直流交流変換部２３等の無停電電源装置２内部の温度を、冷却部２８の発生音の抽出が行われない通常運転時より低温にすることができる、高速な回転数が選択される。この動作コマンドＣ３にかかる冷却部２８の回転数（回転周波数）は、無停電電源装置２の運転開始前に予め、演算部３４に設定される。
【０１２０】
これにより、冷却部２８は、動作コマンドＣ３により指定された回転周波数で冷却ファンを回転させ、交流直流変換部２１、蓄電池２２、直流交流変換部２３等の無停電電源装置２内部の温度を、冷却部２８の発生音の抽出が行われない通常運転時より低温にする。
【０１２１】
（ステップＳ１２：無停電電源装置２内部の温度が温度Ｔ１以下になったか判断する）
次に演算部３４は、入力部３１を介し温度測定部６から温度データＧを受信する。温度データＧは、交流直流変換部２１、蓄電池２２、直流交流変換部２３等の無停電電源装置２内部の温度に関するデータである。演算部３４は、温度データＧに基づき交流直流変換部２１、蓄電池２２、直流交流変換部２３等の無停電電源装置２内部の温度が予め設定された温度Ｔ１以下になったかの判断を行う。
【０１２２】
予め設定された温度Ｔ１は、冷却部２８の発生音の抽出が行われるまでの時間、冷却部２８の動作を停止しても無停電電源装置２の内部温度の上昇により、無停電電源装置２に劣化または故障が発生しない温度である。温度Ｔ１は、無停電電源装置２の運転開始前に予め、演算部３４に設定される。
【０１２３】
温度Ｔ１以下になったと判断した場合（ステップＳ１２のＹＥＳ）、ステップＳ１３に移行する。温度Ｔ１以下になったと判断しない場合（ステップＳ１２のＮＯ）、再びステップＳ１２に移行し、無停電電源装置２内部の温度が予め設定された温度Ｔ１以下になることを待つ状態となる。
【０１２４】
（ステップＳ１３：検出部４から信号データＡ１を受信する）
ステップＳ１２にて無停電電源装置２内部の温度が予め設定された温度Ｔ１以下になったと判断された場合、演算部３４は、入力部３１を介し検出部４から信号データＡ１（電源部２０全体動作時の動作音にかかる信号データ）を受信する。信号データＡには、電源部２０の冷却部２８の発生音、交流直流変換部２１、直流交流変換部２３の動作音、環境音にかかる信号データが含まれる。
【０１２５】
（ステップＳ１４：冷却部２８に停止コマンドＤ３を送信する）
次に演算部３４は、出力部３２を介し冷却部２８に停止コマンドＤ３（冷却部２８の動作停止を指示する停止コマンド）を送信する。これにより、冷却部２８は、冷却ファン等の可動部の動作を停止させる。したがって、冷却部２８の発生音は無音となる。
【０１２６】
（ステップＳ１５：検出部４から信号データＡ３を受信する）
次に、演算部３４は、入力部３１を介し検出部４から信号データＡ３（冷却部２８停止時の動作音にかかる信号データ）を受信する。信号データＡ３には、電源部２０の交流直流変換部２１、直流交流変換部２３の動作音、環境音にかかる信号データが含まれ、冷却部２８の発生音は含まれない。
【０１２７】
（ステップＳ１６：冷却部２８の発生音を抽出し信号データＢを作成する）
次に演算部３４は、ステップＳ１３で受信した信号データＡ１（電源部２０全体動作時の動作音にかかる信号データ）およびステップＳ１５で受信した信号データＡ３（冷却部２８停止時の動作音にかかる信号データ）に基づき、冷却部２８の発生音を抽出する。
【０１２８】
前述のように信号データＡ１には、電源部２０の冷却部２８の発生音、交流直流変換部２１、直流交流変換部２３の動作音、環境音にかかる信号データが含まれる。また信号データＡ３には、電源部２０の交流直流変換部２１、直流交流変換部２３の動作音、環境音にかかる信号データが含まれ、冷却部２８の発生音は含まれない。
【０１２９】
演算部３４は、信号データＡ１から信号データＡ３を減算し、信号データＡ１から交流直流変換部２１、直流交流変換部２３の動作音、環境音を除去し、冷却部２８の発生音を抽出する。演算部３４は、冷却部２８の発生音を抽出し、信号データＢ（冷却部２８の発生音にかかる信号データ）を作成する。
【０１３０】
（ステップＳ１７：冷却部２８に動作コマンドＣ３を送信する）
次に演算部３４は、出力部３２を介し冷却部２８に動作コマンドＣ３（冷却部２８の回転数を指定する動作コマンド）を送信する。動作コマンドＣ３にかかる冷却部２８の回転数（回転周波数）は、冷却部２８の発生音の抽出が行われない通常運転時の回転数である。これにより、冷却部２８は、冷却部２８の発生音の抽出が行われない通常運転時の回転数にて冷却ファンを回転させる。
【０１３１】
（ステップＳ１８：信号データＢを送信する）
次に演算部３４は、ステップＳ１６で抽出した信号データＢ（冷却部２８の発生音にかかる信号データ）を、送信部３３を介し判断部５に送信する。
【０１３２】
以上が、制御部３の演算部３４の動作である。上記のように信号データＡ１（電源部２０全体動作時の動作音にかかる信号データ）、信号データＡ３（冷却部２８停止時の動作音にかかる信号データ）に基づき、信号データＢが作成される。
【０１３３】
［２−３．効果］
（１）本実施形態によれば、制御部３は、冷却部２８が動作しているタイミングで電源部２０の第１の動作音を検出するように検出部４を制御し、動作を停止するように冷却部２８を制御し、冷却部２８が停止しているタイミングで電源部２０の第２の動作音を検出するように検出部４を制御し、検出部４により検出された第１の動作音から第２の動作音を減算し、冷却部２８の発生音を抽出するので、冷却部２８の発生音を精度よく抽出し、冷却部の劣化を早期に検出することができる無停電電源システム１を提供することができる。
【０１３４】
検出部４が動作音を検出する時に、制御部３が、冷却部２８の動作を停止するように制御し、交流直流変換部２１、直流交流変換部２３は動作を継続する。このため、負荷８への電力供給が停止されることなく、精度よく冷却部２８の発生音を抽出することができる。
【０１３５】
（２）本実施形態によれば、制御部３は、冷却部２８を動作させ電源部２０の温度が所定の温度以下になった場合に、冷却部２８の動作を停止するように冷却部２８を制御し、冷却部２８が停止しているタイミングで電源部２０の第２の動作音を検出するように検出部４を制御する。このため、交流直流変換部２１、直流交流変換部２３を含む電源部２０内部の温度が、所定の温度以下である時間に検出部４により第２の動作音を検出することができ、温度上昇による交流直流変換部２１、直流交流変換部２３を含む電源部２０の劣化や故障を軽減することができる。
【０１３６】
また、検出部４が第１の動作音および第２の動作音を検出する時に交流直流変換部２１、直流交流変換部２３は動作を継続するので、負荷８への電力供給が停止されることなく、精度よく冷却部２８の発生音を抽出することができる。
【０１３７】
［２−４．変形例］
（１）上記実施形態では、ステップＳ１１にて冷却部２８に動作コマンドＣ３（冷却部２８の回転数を指定する動作コマンド）を送信し、交流直流変換部２１、蓄電池２２、直流交流変換部２３等の無停電電源装置２内部の温度を、強制的に低温にした。しかしながら、交流直流変換部２１、蓄電池２２、直流交流変換部２３等の無停電電源装置２内部の温度が、予め設定された温度Ｔ１以下になっている場合、ステップＳ１１は省略されるようにしてもよい。
【０１３８】
（２）上記実施形態では、動作コマンドＣ３にかかる冷却部２８の回転数（回転周波数）は、無停電電源装置２の運転開始前に予め、演算部３４に設定されるものとしたが、動作コマンドＣ３にかかる冷却部２８の回転数（回転周波数）は、温度測定部６により測定された温度に応じ、演算部３４により適宜選択されるようにしてもよい。
【０１３９】
（３）上記実施形態では、温度測定部６により温度を検出し、無停電電源装置２内部の温度が予め設定された温度Ｔ１以下になっている場合に、制御部３により冷却部２８の発生音を抽出する動作が行われるようにした。温度測定部６に加え、または代替して無停電電源装置２から出力されている電力または電流を検出し、電力または電流が予め設定された閾値以下になっている場合に、制御部３により冷却部２８の発生音を抽出する動作が行われるようにしてもよい。
【０１４０】
［３．第３実施形態］
［３−１．構成］
本実施形態の一例として、第３実施形態にかかる無停電電源システム１について説明する。第３実施形態にかかる無停電電源システム１は、複数の無停電電源装置２ａ、２ｂを有する点、および冷却部２８の発生音の抽出処理が、第１実施形態と異なる。無停電電源装置２ｂが請求項中の第２の電源部に相当する。本無停電電源システム１において、作成、記憶または送受信される信号、データは、第１実施形態と同じである。
【０１４１】
第３実施形態の無停電電源システム１の構成を図８に示す。本無停電電源システム１は、無停電電源装置２ａ、２ｂ、判断部５を有する。第３実施形態の無停電電源システム１は、無停電電源装置２ｂを有する点が第１実施形態の無停電電源システム１と異なる。
【０１４２】
無停電電源装置２ａは、第１実施形態の無停電電源装置２と同様に、冷却部２８の発生音の抽出が行われる。無停電電源装置２ｂは、無停電電源装置２ａから送信される電力の供給を要求する電力供給コマンドＨに基づき電力を出力するバックアップ用の無停電電源装置である。無停電電源装置２ｂの構成は、無停電電源装置２ａと同じである。
【０１４３】
第３実施形態の無停電電源装置２ａの構成を図９に示す。第３実施形態の無停電電源装置２ａは、電源部２０、制御部３、検出部４を有し、制御部３は入力部３１、出力部３２、送信部３３、演算部３４、送受信部３５を有する。第３実施形態の無停電電源装置２ａは、制御部３に送受信部３５を有する点が、第１実施形態の無停電電源装置２と異なる。また、第３実施形態の無停電電源装置２ａの制御部３は、第１実施形態と異なるプログラムを演算部３４に内蔵する。
【０１４４】
送受信部３５は、マイクロコンピュータの通信ポート等により構成される。送受信部３５は、専用の通信線またはインターネット等の通信線（図中不示）に接続される。無停電電源装置２ａの送受信部３５は、通信線を介し無停電電源装置２ｂと通信を行う。無停電電源装置２ａの送受信部３５は、無停電電源装置２ｂに対し電力の供給を要求する電力供給コマンドＨを送信する。
【０１４５】
無停電電源装置２ｂは、無停電電源装置２ｂ内部の送受信部３５を介し電力供給コマンドＨを受信し、無停電電源装置２ａの補助入力端子２６に電力供給を行う。無停電電源装置２ａの補助入力端子２６に供給された電力は、無停電電源装置２ａのバイパス回路２４を介し、負荷８に供給される。
【０１４６】
［３−２．作用］
次に、本実施形態の無停電電源システム１の動作の概要を、図８〜１０に基づき説明する。冷却部２８の発生音の抽出が行われない通常運転の場合の動作は第１実施形態と同様である。無停電電源装置２ａの冷却部２８の発生音の抽出が行われる場合、無停電電源装置２ａの演算部３４は、各部に対し以下の制御を行う。
【０１４７】
冷却部２８の発生音の抽出が行われる場合の無停電電源装置２ａの動作の概要を、制御部３の演算部３４の動作を中心に説明する。制御部３の演算部３４は、図１０に示すプログラムに従って動作を行う。図１０に示すプログラムは、制御部３の演算部３４に内蔵される。図１０に示すプログラムは、制御部３の演算部３４により、一定周期ごとに繰り返し実行される。
【０１４８】
（ステップＳ２１：無停電電源装置２ｂに電力供給コマンドＨを送信する）
最初に無停電電源装置２ａの演算部３４は、送受信部３５を介し、無停電電源装置２ｂに対し電力の供給を要求する電力供給コマンドＨを送信する。無停電電源装置２ｂは、無停電電源装置２ｂ内部の送受信部３５を介し電力供給コマンドＨを受信し、無停電電源装置２ａの補助入力端子２６に電力供給を行う。
【０１４９】
（ステップＳ２２：バイパス回路２４を閉路状態とする）
次に演算部３４は、無停電電源装置２ａのバイパス回路２４を閉路状態とする。これにより、無停電電源装置２ａの補助入力端子２６に供給された電力は、バイパス回路２４を介し、負荷８に供給されるようになる。
【０１５０】
（ステップＳ２３：交流直流変換部２１に停止コマンドＤ１を送信する）
演算部３４は、出力部３２を介し交流直流変換部２１に停止コマンドＤ１（交流直流変換部２１の動作停止を指示する停止コマンド）を送信する。停止コマンドＤ１は、交流直流変換部２１のスイッチング素子のスイッチング動作の停止を指示するコマンドである。これにより、交流直流変換部２１は、スイッチング素子のスイッチング動作を停止し、交流直流変換部２１の動作音は無音となる。
【０１５１】
（ステップＳ２４：直流交流変換部２３に停止コマンドＤ２を送信する）
演算部３４は、出力部３２を介し直流交流変換部２３に停止コマンドＤ２（直流交流変換部２３の動作停止を指示する停止コマンド）を送信する。停止コマンドＤ２は、直流交流変換部２３のスイッチング素子のスイッチング動作の停止を指示するコマンドである。これにより、直流交流変換部２３は、スイッチング素子のスイッチング動作を停止し、直流交流変換部２３の動作音は無音となる。
【０１５２】
（ステップＳ２５：検出部４から信号データＡ２を受信する）
次に演算部３４は、入力部３１を介し検出部４から信号データＡ２（交流直流変換部２１および直流交流変換部２３停止時の動作音にかかる信号データ）を受信する。信号データＡ２には、電源部２０の冷却部２８の発生音にかかる信号データが含まれ、電源部２０の交流直流変換部２１、直流交流変換部２３の動作音は含まれない。演算部３４は、信号データＡ２を、冷却部２８の発生音が抽出された信号データＢ（冷却部２８の発生音にかかる信号データ）とする。
【０１５３】
（ステップＳ２６：交流直流変換部２１に動作コマンドＣ１を送信する）
演算部３４は、出力部３２を介し交流直流変換部２１に動作コマンドＣ１（交流直流変換部２１の動作周波数を指定する動作コマンド）を送信し、冷却部２８の発生音の抽出が行われない通常運転時の動作を再開させる。
【０１５４】
（ステップＳ２７：直流交流変換部２３に動作コマンドＣ２を送信する）
演算部３４は、出力部３２を介し直流交流変換部２３に動作コマンドＣ２（直流交流変換部２３の動作周波数を指定する動作コマンド）を送信し、冷却部２８の発生音の抽出が行われない通常運転時の動作を再開させる。
【０１５５】
（ステップＳ２８：信号データＢを送信する）
次に演算部３４は、ステップＳ２５で作成した信号データＢ（冷却部２８の発生音にかかる信号データ）を、送信部３３を介し判断部５に送信する。
【０１５６】
以上が、制御部３の演算部３４の動作である。上記のように信号データＢ（冷却部２８の発生音にかかる信号データ）が作成される。
【０１５７】
［３−３．効果］
（１）本実施形態によれば、制御部３は、動作を停止するように交流直流変換部２１および直流交流変換部２３を制御し、交流直流変換部２１および直流交流変換部２３が停止しており、かつ冷却部２８が動作しているタイミングで電源部２０の動作音を検出するように検出部４を制御し、冷却部２８の発生音を抽出するので、冷却部２８の発生音を精度よく抽出し、冷却部の劣化を早期に検出することができる無停電電源システム１を提供することができる。
【０１５８】
検出部４が動作音を検出する時に、制御部３が、交流直流変換部２１、直流交流変換部２３の動作を停止するように制御し、冷却部２８は動作を継続する。このため、精度よく冷却部２８の発生音を抽出することができる。
【０１５９】
（２）本実施形態によれば、制御部３は、交流直流変換部２１および直流交流変換部２３の動作を停止する制御を行うときに、電源部２０の外部に設けられた第２の電源部である無停電電源装置２ｂを動作させる制御を行うので、検出部４が動作音を検出する時に、負荷８への電力供給が停止されることなく、精度よく冷却部２８の発生音を抽出することができる。
【０１６０】
［３−４．変形例］
（１）上記実施形態では、ステップＳ２１にて無停電電源装置２ａの演算部３４から、無停電電源装置２ｂに対し電力の供給を要求する電力供給コマンドＨが送信され、無停電電源装置２ｂから、無停電電源装置２ａの補助入力端子２６に電力供給を行うようにした。しかしながら、負荷８に電力供給が不要である場合、ステップＳ２１は省略されるようにしてもよい。
【０１６１】
［４．第４実施形態］
［４−１．構成］
本実施形態の一例として、第４実施形態にかかる無停電電源システム１について説明する。第４実施形態にかかる無停電電源システム１は、冷却部２８の発生音の抽出処理が、第１実施形態と異なる。
【０１６２】
第４実施形態の無停電電源装置２の構成を図１１に示す。第４実施形態の無停電電源装置２は、電源部２０、制御部３、検出部４、基準音発生部７を有する。また検出部４は、第１の音検出部４１、第２の音検出部４２を有する。第４実施形態の無停電電源装置２は、基準音発生部７を有する点および検出部４が第１の音検出部４１、第２の音検出部４２を有する点が、第１実施形態の無停電電源装置２と異なる。また、第４実施形態の無停電電源装置２の制御部３は、第１実施形態と異なるプログラムを演算部３４に内蔵する。第４実施形態の無停電電源システム１の全体構成は、図１に示す第１実施形態の構成と同じである。
【０１６３】
基準音発生部７は、スピーカやセラミック振動体のような発音部材に発振器が組み合わされた装置により構成される。基準音発生部７は、予め定められた音量および周波数で基準音を発生する。基準音発生部７は、無停電電源装置２を構成する筐体の内部であり、交流直流変換部２１、直流交流変換部２３の近傍に設置される。基準音発生部７は、制御部３の出力部３２に接続される。
【０１６４】
基準音発生部７は、制御部３により制御され、予め定められた音量および周波数で基準音を発生する。基準音は、超音波等の可聴範囲外の周波数を有する音であることが望ましい。基準音発生部７により発生された基準音は、制御部による冷却部２８の発生音を抽出する時に、第１の音検出部４１により検出された第１の動作音と、第２の音検出部４２により検出された第２動作音との音量レベルを調整する調整量を決定する時に用いられる。
【０１６５】
検出部４は、第１の音検出部４１、第２の音検出部４２を有する。第１の音検出部４１は、冷却部２８の近傍に配置される。第１の音検出部４１は、冷却部２８の発生音、基準音発生部７により発生された基準音、交流直流変換部２１、直流交流変換部２３の動作音を検出する。
【０１６６】
第２の音検出部４２は、交流直流変換部２１または直流交流変換部２３の近傍に配置される。第１の音検出部４１は、冷却部２８の発生音、基準音発生部７により発生された基準音、交流直流変換部２１、直流交流変換部２３の動作音を検出する。第１の音検出部４１、第２の音検出部４２により検出される音の周波数と音量レベルの関係を図１３に示す。
【０１６７】
［４−２．作用］
次に、本実施形態の無停電電源システム１の動作の概要を、図１１〜１３に基づき説明する。冷却部２８の発生音の抽出に関する無停電電源装置２の動作の概要を、制御部３の演算部３４の動作を中心に説明する。制御部３の演算部３４は、図１２に示すプログラムに従って動作を行う。図１２に示すプログラムは、制御部３の演算部３４に内蔵される。図１２に示すプログラムは、制御部３の演算部３４により、一定周期ごとに繰り返し実行される。
【０１６８】
（ステップＳ３１：基準音発生部７から基準音を発生させる）
最初に演算部３４は、出力部３２を介し基準音発生部７を制御し、基準音発生部７から基準音を発生させる。基準音発生部７から発生した基準音は、予め定められた音量および周波数を有する。基準音は、交流直流変換部２１、直流交流変換部２３の近傍に設置された基準音発生部７から発生される。このため、第１の音検出部４１により検出される第１の動作音Ａ４１および第２の音検出部４２により検出される第２の動作音Ａ４２において、基準音と交流直流変換部２１および直流交流変換部２３の動作音との音量比率は同等となる。
【０１６９】
（ステップＳ３２：第１の音検出部４１から第１の動作音Ａ４１を受信する）
次に演算部３４は、入力部３１を介し、検出部４の第１の音検出部４１から第１の動作音Ａ４１を受信する。冷却部２８の発生音Ｘ、交流直流変換部２１、直流交流変換部２３の動作音Ｙ、基準音発生部７により発生された基準音Ｚが含まれる。
【０１７０】
（ステップＳ３３：第２の音検出部４２から第２の動作音Ａ４２を受信する）
次に演算部３４は、入力部３１を介し、検出部４の第２の音検出部４２から第２の動作音Ａ４２を受信する。第２の動作音Ａ４２には、交流直流変換部２１、直流交流変換部２３の動作音Ｙ、基準音発生部７により発生された基準音Ｚが、第１の動作音Ａ４１と異なる音量レベルで含まれる。
【０１７１】
（ステップＳ３４：第１の動作音Ａ４１と第２の動作音Ａ４２の音量レベルを合わせる）
次に演算部３４は、ステップＳ３２で受信した第１の動作音Ａ４１とステップＳ３３で受信した第２の動作音Ａ４２の音量レベルを合わせる。第１の音検出部４１により受信された第１の動作音Ａ４１の音量レベルα、第２の音検出部４２により受信された第２の動作音Ａ４２の音量レベルβは、以下の式で表すことができる。
α＝ｘ＋ｍ（ｙ＋ｚ）      ・・・（１）
β＝ｎ（ｙ＋ｚ）          ・・・（２）
【０１７２】
式（１）、式（２）においてｘは冷却部２８の発生音Ｘの音量、ｙは交流直流変換部２１、直流交流変換部２３の動作音Ｙの音量、ｚは基準音発生部７により発生された基準音Ｚの音量であり、ｍ、ｎは任意の計数である。演算部３４は、基準音Ｚの音量ｚが等しくなるように、第１の動作音Ａ４１の音量レベルα、または第２の動作音Ａ４２の音量レベルβを調整し、第１の動作音Ａ４１と第２の動作音Ａ４２の音量レベルを合わせる。
【０１７３】
一例として、本実施形態では、第１の動作音Ａ４１の音量レベルα、第２の動作音Ａ４２の音量レベルβの調整として、式（２）のβにｍ／ｎを乗じ（ｍ／ｎ）βを作成し、第１の動作音Ａ４１と第２の動作音Ａ４２の音量レベルを合わせるものとする。
【０１７４】
（ステップＳ３５：冷却部２８の発生音を抽出する）
次に演算部３４は、冷却部２８の発生音Ｘを抽出し信号データＢを作成する。冷却部２８の発生音Ｘの抽出は、ステップＳ３４にて音量レベルが調整された第１の動作音Ａ４１と第２の動作音Ａ４２を用いて行われる。
【０１７５】
一例として、本実施形態では、式（３）に示すように、ステップＳ３４にて音量レベルが調整された（ｍ／ｎ）βを、αから減算することにより冷却部２８の発生音Ｘを抽出する。
α−（ｍ／ｎ）β
＝ｘ＋ｍ（ｙ＋ｚ）―（ｍ／ｎ）・ｎ（ｙ＋ｚ）＝ｘ        ・・・（３）
これにより、冷却部２８の発生音Ｘを抽出することができる。演算部３４は、冷却部２８の発生音Ｘを抽出し、信号データＢ（冷却部２８の発生音にかかる信号データ）を作成する。
【０１７６】
上記では、第１の動作音Ａ４１の音量レベルα、第２の音検出部４２により受信された第２の動作音Ａ４２の音量レベルβを調整し、冷却部２８の発生音Ｘを抽出するようにしたが、第１の動作音Ａ４１、第２の動作音Ａ４２にかかる特定の周波数を抽出し、特定の周波数のパワーを調整し、冷却部２８の発生音Ｘを抽出するようにしてもよい。
【０１７７】
（ステップＳ３６：基準音発生部７に基準音の発生を停止させる）
次に演算部３４は、出力部３２を介し基準音発生部７を制御し、基準音発生部７に基準音の発生を停止させる。
【０１７８】
（ステップＳ３７：信号データＢを送信する）
次に演算部３４は、ステップＳ３５で作成した信号データＢ（冷却部２８の発生音にかかる信号データ）を、送信部３３を介し判断部５に送信する。
【０１７９】
以上が、制御部３の演算部３４の動作である。上記のように第２の音検出部４２により検出された第２の動作音Ａ４２に含まれた、基準音発生部７により発生された基準音Ｚの音量と、第１の音検出部４１により検出された第１の動作音Ａ４１に含まれた、基準音発生部７により発生された基準音Ｚの音量が一致するように、第１の動作音Ａ４１または第２の動作音Ａ４２の音量レベルが調整されることにより、信号データＢ（冷却部２８の発生音にかかる信号データ）が作成される。
【０１８０】
［４−３．効果］
（１）本実施形態によれば、制御部３は、上記のように第２の音検出部４２により検出された第２の動作音Ａ４２に含まれた、基準音発生部７により発生された基準音Ｚの音量と、第１の音検出部４１により検出された第１の動作音Ａ４１に含まれた、基準音発生部７により発生された基準音Ｚの音量が一致するように、第１の動作音Ａ４１または第２の動作音Ａ４２の音量レベルを調整し、第１の動作音Ａ４１と第２の動作音Ａ４２の差分を算出し、冷却部２８の発生音を抽出するので、冷却部２８の発生音を精度よく抽出し、冷却部の劣化を早期に検出することができる無停電電源システム１を提供することができる。
【０１８１】
第１の音検出部４１により検出された第１の動作音Ａ４１は、冷却部２８の発生音Ｘ、交流直流変換部２１、直流交流変換部２３の動作音Ｙを含む。このため冷却部２８の発生音Ｘを検出するには、第１の動作音Ａ４１から動作音Ｙを精度よく除去することが望ましい。
【０１８２】
本実施形態によれば、第１の音検出部４１により検出された第１の動作音Ａ４１に、基準音発生部７により発生された基準音Ｚが含まれる。また、第１の音検出部４１により検出された第１の動作音Ａ４１および第２の音検出部４２により検出された第２の動作音Ａ４２において、基準音Ｚと交流直流変換部２１および直流交流変換部２３の動作音Ｙとの音量比率は同等となる。
【０１８３】
したがって第１の動作音Ａ４１と第２の動作音Ａ４２に含まれた基準音Ｚの音量が一致するように、第１の動作音Ａ４１または第２の動作音Ａ４２の音量レベルを調整し差分を算出することにより、冷却部２８の発生音Ｘを精度よく抽出することができる。
【０１８４】
（２）本実施形態によれば、基準音発生部７により発生される基準音Ｚは、可聴範囲外の周波数を有するので、周囲の人間に、基準音Ｚによる不快感を与えることを軽減することができる。
【０１８５】
［４−４．変形例］
（１）上記実施形態では、検出部４は、第１の音検出部４１、第２の音検出部４２の２つの音検出部を有するものとしたが、検出部４が有する音検出部の数は、これに限られない。例えば、検出部４が有する音検出部の数は３以上であってもよい。音検出部が、冷却部２８、交流直流変換部２１、直流交流変換部２３の近傍にそれぞれ配置されるようにしてもよい。
【０１８６】
（２）上記実施形態では、基準音発生部７は、交流直流変換部２１または直流交流変換部２３の近傍に配置されるものとしたが、複数の基準音発生部７が、交流直流変換部２１、直流交流変換部２３の近傍にそれぞれ配置されるようにしてもよい。また、複数の基準音発生部７は異なる周波数を有する基準音を発生するようにしてもよい。
【０１８７】
（３）上記実施形態では、ステップＳ３６により基準音を停止させることとしたが、基準音発生部７により基準音が常時発生されるようにしてもよい。
【０１８８】
［５．他の実施形態］
変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【０１８９】
（１）上記実施形態では、無停電電源装置２は、電源部２０、制御部３、検出部４を有するものとしたが無停電電源装置２の構成はこれに限られない。無停電電源装置２は、電源部２０、制御部３、検出部４に加え、判断部５を有するものであってもよい。また、無停電電源装置２は、電源部２０、検出部４を有するものとし、制御部３、判断部５は、無停電電源装置２の外部の装置により構成されるようにしてもよい。
【０１９０】
（２）上記実施形態では、交流直流変換部２１は、交流電力を直流電力に変換するコンバータにより構成されるものとしたが、交流直流変換部２１の構成はこれに限られない。交流直流変換部２１は、交流電力を直流電力に、直流電力を交流電力に変換する双方向のインバータ・コンバータにより構成されるようにしてもよい。交流直流変換部２１のインバータとしての動作時に、蓄電池２２から放電された直流電力が、交流電力に変換され、入力端子２５を介し電力供給線９１に出力されるようにしてもよい。このように構成することにより、蓄電池２２の電力が省エネルギーに活用される。
【０１９１】
（３）上記実施形態では、冷却部２８は、電動機により駆動される冷却ファンにより構成されるものとしたが冷却部２８の構成は、これに限られない。冷却部２８は、圧縮機により構成されるものであってもよい。
【０１９２】
（４）上記実施形態では、警報出力部５４から出力される警報は、警報音、警報表示により出力されるものとしたが、警報出力部５４から出力される警報は、これに限られない。警報出力部５４から出力される警報は、例えば有線、無線通信による電文により出力されるものであってもよい。
【０１９３】
（５）上記実施形態では、信号データＡは、常時検出部４により作成され出力されるものとしたが、演算部３４の指示により作成されるようにしてもよい。
【０１９４】
（６）上記実施形態では、基準データＥ（冷却部２８の劣化の判断の基準となるデータ）は、劣化がない状態の冷却部２８の発生音にかかる信号データであるとしたが、基準データＥは、これに限られない。基準データＥは、時間経過ごとの劣化の状態を示す冷却部２８の発生音にかかる信号データであってもよい。演算部５６は、この時間経過ごとの劣化の状態を示す冷却部２８の発生音にかかる信号データである基準データＥと、信号データＢ（冷却部２８の発生音にかかる信号データ）との比較を行い、冷却部２８の劣化の状態および、または余寿命を推定するようにしてもよい。
【符号の説明】
【０１９５】
１・・・無停電電源システム
２，２ａ，２ｂ・・・無停電電源装置
３・・・制御部
４・・・検出部
５・・・判断部
６・・・温度測定部
７・・・基準音発生部
８・・・負荷
９・・・電力系統
２０・・・電源部
２１・・・交流直流変換部
２２・・・蓄電池
２３・・・直流交流変換部
２４・・・バイパス回路、
２５・・・入力端子
２６・・・補助入力端子
２７・・・出力端子
２８・・・冷却部
３１・・・入力部
３２・・・出力部
３３・・・送信部
３４・・・演算部
３５・・・送受信部
４１・・・第1の音検出部
４２・・・第２の音検出部
５１・・・受信部
５２・・・記憶部
５３・・・表示部
５４・・・警報出力部
５５・・・送受信部
５６・・・演算部
９１・・・電力供給線
９２・・・商用電源
【図１】
2019161966.tif 000003
【図２】
2019161966.tif 000004
【図３】
2019161966.tif 000005
【図４】
2019161966.tif 000006
【図５】
2019161966.tif 000007
【図６】
2019161966.tif 000008
【図７】
2019161966.tif 000009
【図８】
2019161966.tif 000010
【図９】
2019161966.tif 000011
【図１０】
2019161966.tif 000012
【図１１】
2019161966.tif 000013
【図１２】
2019161966.tif 000014
【図１３】
2019161966.tif 000015